(57)【要約】      （修正有）【課題】保護帽の着装体との緩和布材連接構造を提供する。【解決手段】保護帽の着装体に、舌状片５を形成した連設板８を用い重合押止し緩和布材を覆設することで構成され季節や環境条件に適合し、かつ従来の吸汗対策による保護帽脱着時の手間取りと使用時に関する不快感の軽減を保持する緩和布材連接構造。【選択図】図３
2018012905.tif 000002
【特許請求の範囲】
【請求項１】
舌状片が形成された帯状の連設板とタオル状の緩和布材とからなる緩和布材連接構造であって、前記緩和布材の略中央部には前記舌状片が抜き差し可能な開口部を有する袋状収納部が設けられていて、前記連設板には該連設板を装着体にとめるためのとめ具が備えられていることを特徴とする緩和布材連接構造。
【発明の詳細な説明】
【技術分野】
【０００１】  本発明は頭部不快感を緩和させる保護帽に関する。
【背景技術】
【０００２】  作業用の保護帽に関しては季節や環境などの条件によって、吸汗材やタオルといった夏季の汗に関した文献が提案されている。【０００３】  たとえば、特許文献１には、着装体ヘッドバンド前面額部分に吸汗材を直接装着する発明が記載されている。【０００４】  また、特許文献２には、頭部全体をタオルで覆い、むれや日焼けを防止する発明が記載されている。
【先行技術文献】
【特許文献】
【０００５】
【特許文献１】特開２００４−２７００４０号公報
【特許文献２】特開２００２−３６３８１８号公報
【発明の概要】
【発明が解決しようとする課題】
【０００６】  特許文献１に記載された発明は、前頭部や額部の汗の処理には適しているが、最も多汗とされる側頭部から後頭部にかけての汗の処理に問題点がある。【０００７】  特許文献１に示す取り付けバンド６には各形成過程により必ずしも取り付け穴９が穿孔されているとも限らず、また取り付けバンド６への直接の穿孔は保護帽の安全性が損なわれるという欠点があった。【０００８】  特許文献２に記載された発明は、炎天下には適しているが、雨天時の使用方法や考案された形状についてもまだ複雑さが残り、保護帽脱着に手間取るという課題があった。
【課題を解決するための手段】
【０００９】  本発明は上記の課題を解決するためになされたもので、請求項１に記載の緩和布材連接構造は、舌状片が形成された帯状の連設板とタオル状の緩和布材とからなる緩和布材連接構造であって、前記緩和布材の略中央部に前記舌状片が抜き差し可能な開口部を有する袋状収納部が設けられていて、前記連設板には該連設板を装着体にとめるためのとめ具が備えられていることを特徴とする。
【発明の効果】
【００１０】  請求項１記載の発明は、上記の構成を採用することにより、とめ具により連設板を装着体にとめた後、連設板に形成された舌状片を緩和布材に設けられた袋状収納部の開口部に抜き差しすることにより緩和布材の着脱が可能となり、取り換えに要する手間取りが減軽するという効果を発揮する。
【図面の簡単な説明】
【００１１】
【図１】着装体の斜視図
【図２】保護帽の内部を示す図
【図３】連設板の斜視図
【図４】緩和布材の斜視図
【図５】保護帽に連設板と緩和布材を連結する説明図
【図６】遊動とめ具を示す図で、左は正面図、右は側面図
【発明を実施するための形態】
【００１２】  以下、本発明の実施の形態を図１〜図６に基づいて説明する。
【００１３】  保護帽１７は使用者の頭部を打撲や衝撃の危険から守り外部は硬い殻かく帽体４で形成され、内部には着装体１８が備えられている。
【００１４】  着装体１８はハンモック１とヘットバンド３の連結構造で構成されていて、殻かく帽体４との間に間隙６を介して、殻かく帽体４の内部に懸架された状態で保持されている。また、ヘットバンド３には吸収体突出部分２が設けられている。
【００１５】  ハンモック１やヘットバンド３は頭皮に直接接触する部分で、頭部全体を覆い保護帽１７を安定させ衝撃を吸収する構造で作成されている。ヘットバンド３は頭囲に合わせて伸縮調整自在なベルト状の構造とされている。
【００１６】  連設板８は図３で示すように舌状片５が二つ形成されている。なお、本実施形態では前記舌状片５の先端部は互いに向き合うように形成されている。そして、前記連設板８には遊動とめ具７が５個仮止め状態で取り付けられている。
【００１７】  緩和布材１０は図４で示すように帯状のタオルで構成されている。該タオルの中央部に二つの袋状収納部１１が設けられていて、それぞれの袋状収納部１１には互いに向き合うように袋状収納開口部９が設けられている。
【００１８】  遊動とめ具７は図６に示すように、凸型部品１２と凹型部品１３とで構成されている。凸型部品１２にはラチェット部１５が形成されていて一方端に掴持部１４が設けられている。また、凹型部品１３の一方端は前記凸型部品１２の他方端が挿入可能に形成されていて、凹型部品１３の他方端に掴持部１４が設けられている。前記凹型部品１３の中央部には開口部１６が設けられていて、前記ラチェット部１５が嵌まり込み前記開口部１６に係止するようになっている。
【００１９】  次に連設板８を着装体１８に取り付ける方法を説明する。
まず、殻かく帽体４の内部に備えられている着装体１８のヘットバンド３に連設板８を内接し密着させて重合させる。そして、連設板８に仮止め状態で取り付けられている遊動とめ具７の凸型部品１２の掴持部１４と凹型部品１３の掴持部１４を図６のｂを縮めるように互いに近接させることにより、ヘットバンド３に連設板８を取り付ける。
【００２０】  なお、ヘットバンド３に連設板８を取り付ける場合、遊動とめ具７と吸収体突出部分２とが当接しないように図６のａ方向に移動させて取り付けるのが望ましい。
つぎに、連設板８に形成された舌状片５を緩和布材１０に設けられた袋状収納開口部９へ挿入し緩和布材１０を連設板８に取り付ける。
【００２１】  緩和布材１０は連設板８の内面に対して、緩和布材１０の袋状収納開口部９へ連設板８の舌状片５を挿入することにより取り付けることが可能になり、緩和布材１０の着脱を素早く行うことができ、緩和布材１０の交換の手間取りが緩和され保護帽装着の頭部への負担やストレスを軽減することができる。
【００２２】  本発明は上記の説明に限らず、例えば遊動とめ具７では、必ずしも上下平行移動型のラチェット部品でなくとも、掴持部１４部分だけのコの字型単独部品で上下のとめ位置をずらしてヘットバンドと連設板を挟み適当な位置に両面テープなどで固定してもよい。
【００２３】  緩和布材１０の両端部にマジックファスナーや釦などの接合手段を設けてもよい。
また、緩和布材１０の材質をタオルに限らず断熱性や保温性を有する材質にすることにより、防寒用の補助具としての利用も可能になる。
なお、緩和布材１０は帯状の例を示したが、側頭部から後頭部にかけて覆う布材を採用することも可能である。
【符号の説明】
【００２３】１    ハンモック
２    吸収体突出部分
３    ヘットバンド
４    殻かく帽体
５    舌状片
６    間隙部
７    遊動とめ具
８    連設板
９    袋状収納開口部
１０  緩和布材
１１  袋状収納部
１２  凸型部品
１３  凹型部品
１４  掴持部
１５  ラチェット部
１６  開口部
１７  保護帽
１８  着装体
ａ    横摺動域
ｂ    縦摺動域
【図１】
2018012905.tif 000003
【図２】
2018012905.tif 000004
【図３】
2018012905.tif 000005
【図４】
2018012905.tif 000006
【図５】
2018012905.tif 000007
【図６】
2018012905.tif 000008